(57)【要約】【課題】輝度を高めずに照射面の照度を高くすることができる電気スタンドを提供すること。【解決手段】複数の照明用ＬＥＤ１５からの光を入射させる入射面２０と、この入射面２０から入射した光を所定の方向に反射させる反射面２２と、この反射面２２で反射した光を放出する放出部２３とを有し、前記照明用ＬＥＤ１５の光を所定の方向に導く導光手段１８を有して構成される電気スタンド１であって、前記放出部２３を前記照明用ＬＥＤ１５の光軸Ｘと直交する第一領域２４と第二領域２５に区画し、これらの領域２４，２５に、それぞれ前記光軸Ｘに対し長さ方向が傾斜した複数の第一突条２６及び第二突起２７を一体に設けると共に、これらの突条２６，２７の長さ方向を、前記照明用ＬＥＤ１５から離れる程前記導光手段１８の中央に向かうように傾斜させたことで、照射光の輝度を抑えながら、照射面の照度を高めることができる。【選択図】図３
2014056776.tif 000002
【特許請求の範囲】
【請求項１】
ＬＥＤと、このＬＥＤからの光を所定の方向に導く導光手段とを有し、この導光手段が、前記ＬＥＤからの光を入射させる入射面と、この入射面から入射した光を所定の方向に反射させる反射面と、この反射面で反射した光を放出する放出部とを有して構成される電気スタンドにおいて、
前記放出部を前記ＬＥＤの光軸と直交する第一領域と第二領域に区画し、
前記第一領域に、前記光軸に対し長さ方向が傾斜した複数の第一突条を一体に設け、
前記第二領域に、前記光軸に対し長さ方向が傾斜した複数の第二突条を一体に設けると共に、
前記第一突条の長さ方向と前記第二突条の長さ方向とを、反ＬＥＤ側ほど前記導光手段の中央に向かうように傾斜させたことを特徴とする電気スタンド。
【請求項２】
ＬＥＤと、このＬＥＤからの光を所定の方向に導く導光手段とを有し、この導光手段が、前記ＬＥＤからの光を入射させる入射面と、この入射面から入射した光を所定の方向に反射させる反射面と、この反射面で反射した光を放出する放出部とを有して構成される電気スタンドにおいて、
前記放出部を前記ＬＥＤの光軸と直交する第一領域と第二領域に区画し、
前記第一領域に、前記光軸に対し長さ方向が傾斜した複数の第一凹溝を一体に設け、
前記第二領域に、前記光軸に対し長さ方向が傾斜した複数の第二凹溝を一体に設けると共に、
前記第一凹溝の長さ方向と前記第二凹溝の長さ方向とを、反ＬＥＤ側ほど前記導光手段の中央に向かうように傾斜させたことを特徴とする電気スタンド。
【発明の詳細な説明】
【技術分野】
【０００１】
本発明は、導光手段を用いた電気スタンドに関するものである。
【背景技術】
【０００２】
従来、この種の電気スタンドは、複数のＬＥＤと、これらのＬＥＤからの光を所定の方向に導く導光手段とを有し、この導光手段が、前記各ＬＥＤからの光を入射させる入射面と、この入射面から入射した光を所定の方向に反射させる反射面と、この反射面で反射した光を放出する放出部とを有するものが知られている（例えば、特許文献１参照。）。そして、この電気スタンドの導光手段の放出部には、凸部又は／及び凹部が一体に形成されている。なお、これらの凸部又は／及び凹部は、前記各ＬＥＤの光軸に沿って長く形成されている。
【先行技術文献】
【特許文献】
【０００３】
【特許文献１】特開２０１１−２３３３０８号公報
【発明の概要】
【発明が解決しようとする課題】
【０００４】
そして、上述の導光手段を用いることで、従来の電気スタンドであっても、ＪＩＳ−Ａ型又はＡＡ型の基準を満たした上で、照射面を効果的に照射することができると共に、照度を低下させずに輝度を低下させることができる。しかしながら、このような電気スタンドは、まだ照射面を効果的に照射させる余地があった。
【０００５】
本発明は以上の問題点を解決し、輝度を高めずに照射面の照度を高くすることができる電気スタンドを提供することを目的とする。
【課題を解決するための手段】
【０００６】
本発明の請求項１に記載の電気スタンドは、ＬＥＤと、このＬＥＤからの光を所定の方向に導く導光手段とを有し、この導光手段が、前記ＬＥＤからの光を入射させる入射面と、この入射面から入射した光を所定の方向に反射させる反射面と、この反射面で反射した光を放出する放出部とを有して構成される電気スタンドにおいて、前記放出部を前記ＬＥＤの光軸Ｘと直交する第一領域と第二領域に区画し、前記第一領域に、前記光軸Ｘに対し長さ方向が傾斜した複数の第一突条を一体に設け、前記第二領域に、前記光軸Ｘに対し長さ方向が傾斜した複数の第二突条を一体に設けると共に、前記第一突条の長さ方向と前記第二突条の長さ方向とを、反ＬＥＤ側ほど前記導光手段の中央に向かうように傾斜させたものである。
【０００７】
また、本発明の請求項２に記載の電気スタンドは、ＬＥＤと、このＬＥＤからの光を所定の方向に導く導光手段とを有し、この導光手段が、前記ＬＥＤからの光を入射させる入射面と、この入射面から入射した光を所定の方向に反射させる反射面と、この反射面で反射した光を放出する放出部とを有して構成される電気スタンドにおいて、前記放出部を前記ＬＥＤの光軸Ｘと直交する第一領域と第二領域に区画し、前記第一領域に、前記光軸Ｘに対し長さ方向が傾斜した複数の第一凹溝を一体に設け、前記第二領域に、前記光軸Ｘに対し長さ方向が傾斜した複数の第二凹溝を一体に設けると共に、前記第一凹溝の長さ方向と前記第二凹溝の長さ方向とを、反ＬＥＤ側ほど前記導光手段の中央に向かうように傾斜させたものである。
【発明の効果】
【０００８】
本発明の請求項１に記載の電気スタンドは、以上のように構成することにより、前記ＬＥＤの光軸Ｘと交差する方向に、前記ＬＥＤから放射された強い光の出口を分散させることで輝度を低下させると共に、照射面の照度を高めることができる。
【０００９】
また、本発明の請求項２に記載の電気スタンドは、以上のように構成することにより、前記ＬＥＤの光軸Ｘと交差する方向に、前記ＬＥＤから放射された強い光の出口を分散させることで輝度を低下させると共に、照射面の照度を高めることができる。
【図面の簡単な説明】
【００１０】
【図１】本発明の第一の実施形態を示す照明装置としての電気スタンドの正面図である。
【図２】同、Ａ−Ａ断面図である。
【図３】同、導光手段を示す図であり、（ａ）は底面図、（ｂ）はＢ−Ｂ断面図である。
【図４】同、回路のブロック図である。
【図５】従来の導光手段の底面図である。
【図６】本実施形態の電気スタンドと従来の導光手段を用いた電気スタンドの照度分布を比較した図表である。
【図７】本発明の第二の実施形態を示す照明装置の導光手段であり、（ａ）は底面図、（ｂ）はＣ−Ｃ断面図である。
【発明を実施するための形態】
【００１１】
以下、本発明の第一の実施形態について、図１乃至図４及び図６に基づいて説明する。なお、図２では、図面の左側が前であり、図３（ａ）では、図面の上側が前である。１は電気スタンドである。この電気スタンド１は、基部２と、この基部２に下端部が取り付けられた柱状部３と、この柱状部３の上端部に対して下端部が可動に取り付けられた腕部４と、この腕部４の上端部に対して可動に取り付けられた首部５と、この首部５に対し可動に取り付けられた灯具６とを有して構成される。そして、前記柱状部３の正面側には、第一操作部７と、第二操作部８が設けられる。なお、前記柱状部３の内部には、電子回路９が設けられる。
【００１２】
前記灯具６は、外殻体１０と、透光体１１を有する。前記外殻体１０は、上部外殻体１２と下部外殻体１３から構成される。また、前記外殻体１０の外周には、前記上部外殻体１２と前記下部外殻体１３との接合部を覆うように、弾性を有するリング１４が取り付けられる。なお、このリング１４は、シリコンゴムによって形成されると共に、前記外殻体１０に対し着脱可能に取り付けられる。そして、前記灯具６の内部には、複数の照明用ＬＥＤ１５が設けられる。なお、前記照明用ＬＥＤ１５は、金属基板１６上に一列に並べて実装される。また、この金属基板１６は、放熱体１７に対し熱的に接続される。また、前記照明用ＬＥＤ１５の放射側には、透明な材質からなる導光手段１８が設けられる。更に、この導光手段１８は、その上方が反射体１９によって覆われる。
【００１３】
次に、前記導光手段１８について詳述する。この導光手段１８は、透明なアクリル樹脂によって形成される。そして、前記導光手段１８は、前記照明用ＬＥＤ１５に対向する入射面２０と、前記照明用ＬＥＤ１５から放射された光のうち、拡散光を平行光に整える湾曲面２１と、光を所定の方向に反射する反射面２２と、この反射面２２で反射された光を前記導光手段１８外に放出する放出部２３とを有して構成される。この放出部２３は、第一領域２４と第二領域２５に区画される。そして、これらの領域２４，２５は、左右に隣接して設けられる。そして、前記第一領域２４には、直線状の第一突条２６が複数平行に並べて形成される。一方、前記第二領域２５には、直線状の第二突条２７が複数平行に並べて形成される。なお、これらの突条２６，２７は、それぞれ前記導光手段１８と一体に形成される。また、前記各突条２６，２７は、それぞれ前記照明用ＬＥＤ１５から離れるに従って前記導光手段１８の左右方向における中央に向かうように、それらの長さ方向が前記照明用ＬＥＤ１５の光軸Ｘに対し傾斜して形成される。更に、前記第一突条２６と第二突条２７は、左右対称に形成される。なお、これら第一突条２６と第二突条２７は、前記導光手段１８の左右方向における中央において、一体に繋がる。
【００１４】
前記灯具６の左右方向中央における後部には、一つの指示用ＬＥＤ２８が設けられる。なお、この指示用ＬＥＤ２８と前記照明用ＬＥＤ１５とは、互いに異なる光色である。本実施形態において、前記照明用ＬＥＤ１５は昼白色、昼光色、或いは電球色の光を発し、前記指示用ＬＥＤ２８は橙色の光を発する。また、前記指示用ＬＥＤ２８の放射側には、レンズ２９が設けられる。また、前記指示用ＬＥＤ２８は、ＬＥＤ保持部材３０によって前記灯具６に保持される。なお、前記指示用ＬＥＤ２８は、前記ＬＥＤ保持部材３０によって、所定角度に傾けて保持される。そして、本実施形態において、この角度は、前記指示用ＬＥＤ２８を点灯させた際に、前記照明用ＬＥＤ１５から放射された光の照射範囲のうち、照度が高い範囲を、前記指示用ＬＥＤ２８から放射された光が指示するように、予め設定したものである。
【００１５】
前記電子回路９は、制御回路３１と、第一点灯回路３２と、第二点灯回路３３と、計時手段３４とを有する。前記第一点灯回路３２は、前記照明用ＬＥＤ１５を点灯させるためのものである。また、前記第二点灯回路３３は、前記指示用ＬＥＤ２８を点灯させるためのものである。更に、前記計時手段３４は、前記第二操作部８の操作によって作動した前記第二点灯回路３３に働きかけて、前記指示用ＬＥＤ２８の点灯から所定時間経過後に、この指示用ＬＥＤ２８を消灯させるものである。なお、前記電子回路９へは、ＡＣアダプタ３５から直流電力が供給される。
【００１６】
次に本実施形態の作用について説明する。なお、前記電気スタンド１は、机上面に設置された状態で、図示しない交流電源に予め接続されているものとする。まず使用者は、前記柱状部３に設けられた前記第一操作部７を操作する。この第一操作部７が操作されると、前記制御回路３１は、前記第一点灯回路３２に電力を供給する。これによって、前記灯具６に設けられた前記照明用ＬＥＤ１５は、前記第一点灯回路３２から電力を供給されることで、発光する。なお、この際、前記照明用ＬＥＤ１５に通電することで発生する熱は、前記金属基板１６を介して前記放熱体１７に移動し、この放熱体１７から前記灯具６の外部に放出される。
【００１７】
前記照明用ＬＥＤ１５から放射された光は、前記入射面２０から前記導光手段１８に入る。そして、前記照明用ＬＥＤ１５から放射された光のうち、平行光となる部分は、前記導光手段１８の反射面２２において一次反射する。また、前記照明用ＬＥＤ１５から放射された光のうち、拡散光となる部分は、前記導光手段１８の湾曲面２１において一次反射して平行に整えられた後、前記導光手段１８の反射面２２において二次反射する。そして、前記反射面２２において反射した光は、全て所定の角度で下向きとなり、前記放出部２３において前記導光手段１８から放出される。
【００１８】
なお、前記導光手段１８内では、何度か反射を繰り返した後、前記放出部２３以外から放出される光が発生する可能性がある。しかしながら、このように光が前記放出部２３以外から放出されたとしても、光は、前記反射体１９によって反射され、前記導光手段１８内に戻される。そして、この導光手段１８に戻された光は、最終的に前記放出部２３から放出される。このように、前記照明用ＬＥＤ１５から放射された光は、前記導光手段１８と前記反射体１９を用いることで、実質的に面光源と同様に前記透光体１２から放出されることになり、机上面を広範囲に照らすことができる。
【００１９】
また、前記放出部２３の第一領域２４から放出される光は、前記第一突条２６によって屈折して拡散すると共に、全体としてやや前記第二領域２５側に向きを変える。一方、前記放出部２３の第二領域２５から放出される光は、前記第二突条２７によって屈折して拡散すると共に、全体としてやや前記第一領域２４側に向きを変える。この結果、前記第一領域２４から放出される光と、前記第二領域２５から放出される光を合わせた全体としては、図６に示すように、前記灯具６の直下から半径３０ｃｍの範囲において、従来の導光手段５０を用いたものに比べて、全地点で照度の向上が見られた。また、前記灯具６の直下から５０ｃｍの地点では、５箇所の測定点のうちＰ７，Ｐ８の二点において、従来の導光手段５０を用いたものに比べて照度が低下したものの、他の三点において、従来の導光手段５０を用いたものに比べて照度が同等かやや向上した。この現象は、以下のように推測される。即ち、前記第一領域２４からやや前記第二領域２５側に向かって放出された光と、前記第二領域２５からやや前記第一領域２４側に向かって放出された光が、前記灯具６の前方領域において重なり合う。このため、前記灯具６から比較的近い測定点Ｐ１〜Ｐ５では、全体的に照度が高まる。一方、前記灯具６から離れた測定点Ｐ６〜Ｐ１０では、光が重なり合うことによる照度の上昇度合いは小さい。そして、このように照射面の多くの測定点において、照度が向上する傾向が見られたものの、前記灯具６から放出される輝度は、従来の導光手段５０を用いたものと同様に、前記第一突条２６及び第二突条２７によって前記照明用ＬＥＤ１５から放射された強い光の出口を分散させることで、輝度が低く抑えられる。なお、この照度測定は、ＪＩＳ  Ｃ８１１２に規定する測定方法に基づいて測定した。また、比較対象とした従来の電気スタンドは、前記電気スタンド１の導光手段１８に代えて、図５に示す従来の導光手段５０を取り付けただけである。なお、従来の導光手段５０は、図５に示すように、光軸に沿って延びる突条５１を光軸Ｘと直交する方向に平行に並べたものである。即ち、本実施形態の電気スタンド１と従来の電気スタンドは、前記導光手段１８と導光手段５０のみが異なり、その他の構造が同一である。
【００２０】
次に、使用者は、前記柱状部３に設けられた前記第二操作部８を操作する。この第二操作部８が操作されると、前記制御回路３１は、前記第二点灯回路３３に電力を供給する。同時に、前記制御回路３１は、前記計時手段３４を作動させ、計時を開始する。これによって、前記灯具６の左右方向中央の後部に設けられた前記指示用ＬＥＤ２８は、前記第二点灯回路３３から電力が供給されることで、発光する。なお、前記第二操作部８の操作に伴い、前記制御回路３１は、前記指示用ＬＥＤ２８の点灯中に、前記照明用ＬＥＤ１５に供給する電流値を通常点灯時よりも下げるように、前記第一点灯回路３２に対して制御を行う。これにより、前記照明用ＬＥＤ１５から放射された光は、通常点灯時よりも机上面の照度が低くなるように調光される。このため、使用者は、前記照明用ＬＥＤ１５が点灯中であっても、前記指示用ＬＥＤ２８によって指示される範囲を確実に視認することができる。
【００２１】
なお、前述したように、前記指示用ＬＥＤ２８の放射側に前記レンズ２９を設けたことで、このレンズ２９によって前記指示用ＬＥＤ２８から放射された光は、直径４ｃｍ程度の円形スポット状となって机上面を照射する。また、机上面における前記指示用ＬＥＤ２８から放射された光が照射される位置は、前記照明用ＬＥＤ１５から放射された光の照射範囲のうち、高照度範囲を示す。例えば、本実施形態では、前記腕部４を前方に３５度傾斜させると共に、前記灯具６を略水平とし、且つこの灯具６の左右方向と前記基部２の左右方向とを一致させた場合、机上面Ｄにおける照射範囲の左右方向中央で且つ前記基部２の前縁から約１５ｃｍ前方の位置が、照度が最も高い位置に該当する。即ち、この位置を中心とする領域が、高照度範囲、即ち使用者にとって適正な使用範囲となる。そして、前記指示用ＬＥＤ２８から放射される光は、前述の高照度範囲を示す。このように、前記照明用ＬＥＤ１５による照射範囲中の高照度範囲が、前記指示用ＬＥＤ２８によって示されるので、使用者は、前記指示用ＬＥＤ２８の照射位置に基づいて、適正使用範囲を容易に認識することができる。
【００２２】
なお、前述した通り、前記照明用ＬＥＤ１５の点灯操作を行うための前記第一操作部７と、前記指示用ＬＥＤ２８の点灯操作を行うための前記第二操作部８とが、それぞれ独立して設けられる。これにより、前記照明用ＬＥＤ１５が点灯しているか消灯しているかに拘わらず、前記第二操作部８を操作して前記指示用ＬＥＤ２８を点灯させることが可能となる。従って、使用者は、前記照明用ＬＥＤ１５による照射範囲のどこが高照度範囲、即ち適正使用範囲であるかを知ることができるばかりでなく、前記照明用ＬＥＤ１５を点灯させる前に、予めどこが高照度範囲であるかを知ることもできる。逆に、使用者は、前記第二操作部８を操作して高照度範囲を指示した状態で、前記灯具６を移動させることで、机上面Ｄの任意の位置を高照度範囲（適正使用範囲）とすることもできる。
【００２３】
なお、本実施形態において、前記指示用ＬＥＤ２８から放射される光は、橙色の光である。一方、前記照明用ＬＥＤ１５から放射される光の光色は、昼白色、昼光色、電球色等の光である。即ち、前記照明用ＬＥＤ１５と前記指示用ＬＥＤ２８は、異なる色の光が放射されるように設定されている。このように、机上面を広範囲に照射する前記照明用ＬＥＤ１５と、この照明用ＬＥＤ１５による照射範囲における高照度範囲（適正使用範囲）を指示する前記指示用ＬＥＤ２８とが、互いに異なる色の光を放射するようにすることで、前記照明用ＬＥＤ１５と、前記指示用ＬＥＤ２８とを同時に点灯させても、使用者は、前記指示用ＬＥＤ２８により指示される範囲を確実に視認することができる。更に、両者の発光色を違えることで、前記指示用ＬＥＤ２８の出力を前記照明用ＬＥＤ１５に比べて小さくしても、前記照明用ＬＥＤ１５と前記指示用ＬＥＤ２８とを同時に点灯させた際に、使用者は、前記指示用ＬＥＤ２８により指示される範囲を確実に視認することができる。
【００２４】
そして、前記計時手段３４が所定時間の計時を終了すると、前記制御回路３１は、前記第二点灯回路３３への電力供給を停止する。同時に、前記制御回路３１は、前記照明用ＬＥＤ１５に対して通常点灯時の電流値を供給するように、前記第一点灯回路３２を制御する。このように、前記指示用ＬＥＤ２８は、その点灯によって使用者に適正使用範囲を指示するという目的を達成した後、追加の操作なしで、前記電気スタンド１をそのまま使い続けることができるばかりでなく、前記指示用ＬＥＤ２８の無駄な点灯を防止することができる。なお、本実施形態では、前記計時手段３４が計時する時間を５秒間に設定する。
【００２５】
以上のように、本発明は、複数の照明用ＬＥＤ１５からの光を入射させる入射面２０と、この入射面２０から入射した光を所定の方向に反射させる反射面２２と、この反射面２２で反射した光を放出する放出部２３とを有し、前記照明用ＬＥＤ１５の光を所定の方向に導く導光手段１８を有して構成される電気スタンド１であって、前記放出部２３を前記照明用ＬＥＤ１５の光軸Ｘと直交する第一領域２４と第二領域２５に区画し、これらの領域２４，２５に、それぞれ前記光軸Ｘに対し長さ方向が傾斜した複数の第一突条２６及び第二突起２７を一体に設けると共に、これらの突条２６，２７の長さ方向を、前記照明用ＬＥＤ１５から離れる程前記導光手段１８の中央に向かうように傾斜させたことで、照射光の輝度を抑えながら、照射面の照度を高めることができるものである。
【００２６】
次に、本発明の第二の実施形態について、図７に基づいて説明する。なお、第二の実施形態は、第一の実施形態と比較して、導光手段４０のみが異なる。このため、本実施形態は、導光手段４０の説明のみを行い、その他の説明を省略する。また、第二の実施形態の作用及び効果も第一の実施形態のそれと共通するので、その説明を省略する。
【００２７】
前記導光手段４０は、透明なアクリル樹脂によって形成される。そして、前記導光手段４０は、照明用ＬＥＤ１５に対向する入射面４１と、前記照明用ＬＥＤ１５から放射された光のうち、拡散光を平行光に整える湾曲面４２と、光を所定の方向に反射する反射面４３と、この反射面４３で反射された光を前記導光手段４０外に放出する放出部４４とを有して構成される。この放出部４４は、第一領域４５と第二領域４６に区画される。そして、これらの領域４５，４６は、左右に隣接して設けられる。そして、前記第一領域４５には、直線状の第一凹溝４７が複数平行に並べて形成される。一方、前記第二領域４６には、直線状の第二凹溝４８が複数平行に並べて形成される。なお、これらの凹溝４７，４８は、それぞれ前記導光手段４０と一体に形成される。また、前記各凹溝４７，４８は、それぞれ前記照明用ＬＥＤ１５から離れるに従って前記導光手段４０の左右方向における中央に向かうように、それらの長さ方向が前記照明用ＬＥＤ１５の光軸Ｘに対し傾斜して形成される。更に、前記第一凹溝４７と第二凹溝４８は、左右対称に形成される。なお、これら第一凹溝４７と第二凹溝４８は、前記導光手段４０の左右方向における中央において、一体に繋がる。
【００２８】
なお、本発明は以上の実施形態に限定されるものではなく、発明の要旨の範囲内で種々の変形実施が可能である。例えば、上記各実施形態では、突条或いは凹溝を直線状に形成したが、曲線状に形成しても良い。また、上記各実施形態では、突条或いは凹溝がそれぞれ平行となるように配列したが、これらが所定の角度を持って配列されるようにしても良い。
【符号の説明】
【００２９】
１  電気スタンド
１５  照明用ＬＥＤ
１８，４０  導光手段
２０，４１  入射面
２２，４３  反射面
２３，４４  放出部
２４，４５  第一領域
２５，４６  第二領域
２６  第一突条
２７  第二突条
４７  第一凹溝
４８  第二凹溝
Ｘ  光軸
【図１】
2014056776.tif 000003
【図２】
2014056776.tif 000004
【図３】
2014056776.tif 000005
【図４】
2014056776.tif 000006
【図５】
2014056776.tif 000007
【図６】
2014056776.tif 000008
【図７】
2014056776.tif 000009